(57)【要約】【課題】寿司のネタを自動的に炙ることが出来、しかも炙り作業に伴う飛散物が皿表面に不用意に付着するのを防止出来る自動搬送炙り装置を提供する。【解決手段】皿の搬送機と皿上の飲食物を炙る炙り機が備えられ、また搬送機で搬送される皿の上面周縁部を覆うための左右一対の覆い体が搬送経路を挟んで回転可能に設けられ、搬送機の搬送駆動と覆い体の回転駆動を連動させる連動回転機構が備えられ、搬送機による皿の搬送駆動に伴い、皿が炙り機の炙り領域よりも手前側に位置する時点で両覆い体間に搬入口が開き、この皿上の飲食物が炙り領域に位置する時点で搬入口が閉じ、両覆い体により皿上面における飲食物の載置部分を除いた周縁部分が覆われ、皿が炙り領域から後方側に移動するに伴い、両覆い体間に搬出口が開くようにした。【選択図】図６
2018089350.tif 000002
【特許請求の範囲】
【請求項１】
皿の搬送機と、この搬送機における搬送経路の上方に配置されて前記搬送機による搬送途中で皿上の飲食物を炙る炙り機とが備えられ、搬送機と炙り機との間には、搬送機で搬送される皿の上面周縁部を覆うための左右一対の覆い体が前記搬送経路を挟んで回転可能に設けられるとともに、これら覆い体には平面視略円弧状に窪む切欠きが設けられ、また前記搬送機の搬送駆動と前記覆い体の回転駆動を連動させる連動回転機構が備えられ、前記搬送機による皿の搬送駆動に伴い、皿が炙り機の炙り領域よりも手前側に位置する時点で前記両覆い体間に皿上の飲食物の搬入口が開き、この皿上の飲食物が前記炙り領域に位置する時点で前記搬入口が閉じて、前記両覆い体により前記皿上面における飲食物の載置部分を除いた周縁部分が覆われ、更に前記皿が前記炙り領域から後方側に移動するに伴い、前記両覆い体間に皿上の飲食物の搬出口が開くようにしていることを特徴とする自動搬送炙り装置。
【請求項２】
搬送路の入口には、皿を前記搬送路に搬入するための搬入路と、この搬入路を介して搬入される皿の前記搬送路への搬入タイミングを制御するための搬入制御装置が備えられていることを特徴とする請求項１に記載の自動搬送炙り装置。
【発明の詳細な説明】
【技術分野】
【０００１】
本発明は、主として握り寿司のネタを炙るための自動搬送炙り装置に関する。
【背景技術】
【０００２】
一般に回転寿司などの飲食店では、炙り寿司を作成する場合、従業員がネタをバーナーで炙るのが一般的であるが、以上の方法では、手間を要するし、出来上がった寿司の品質が従業員によって異なる不具合がある。
そこで以上の不具合を解消するために自動炙り装置が提案されている。（特許文献１参照）
この自動炙り装置は、寿司を炙り領域へ搬送するための搬送ユニットと、搬送ユニットの炙り領域に相対して配置され、搬送される寿司のネタを炙る赤外線ヒーターから成る炙り機が備えられたものであって、搬送ユニットの駆動により、搬送ユニット上に載せた寿司を炙り機に向けて搬送し、寿司のネタを炙り機により搬送するようにしている。
ところで以上の装置では、例えば皿に寿司を載せるとともにこの寿司のネタに適量のマヨネーズソースをかけた上で、皿に載せた寿司を搬送ユニットに載せて搬送して炙り機で炙ると、ネタにかけたマヨネーズソースの一部が、炙り機による加熱で飛び散って皿の表面に付着し、皿を汚す不具合がある。
また寿司が触れていない皿の上面周縁部が炙り機の熱で焼ける不具合も考えられる。
【先行技術文献】
【特許文献】
【０００３】
【特許文献１】特開２０１６−７７７６８号
【発明の概要】
【発明が解決しようとする課題】
【０００４】
本発明は以上の実情に鑑みて開発したものであって、目的とするところは、皿に載せた状態で例えば寿司のネタなどの飲食物を自動的に炙ることが出来、しかも炙り作業に伴うマヨネーズソース等の飛散物が皿表面に不用意に付着するのを防止することが出来る自動搬送炙り装置を提供することにある。
【課題を解決するための手段】
【０００５】
以上の目的を達成するために、請求項１に記載の発明は、皿の搬送機と、この搬送機における搬送路の上方に配置されて前記搬送機による搬送途中で皿上の飲食物を炙る炙り機とが備えられ、搬送機と炙り機との間には、搬送機で搬送される皿の上面周縁部を覆うための左右一対の覆い体が前記搬送経路を挟んで回転可能に設けられるとともに、これら覆い体には平面視略円弧状に窪む切欠きが設けられ、また前記搬送機の搬送駆動と前記覆い体の回転駆動を連動させる連動回転機構が備えられ、前記搬送機による皿の搬送駆動に伴い、皿が炙り機の炙り領域よりも手前側に位置する時点で前記両覆い体間に皿上の飲食物の搬入口が開き、この皿上の飲食物が前記炙り領域に位置する時点で前記搬入口が閉じて、前記両覆い体により前記皿上面における飲食物の載置部分を除いた周縁部分が覆われ、更に前記皿が前記炙り領域から後方側に移動するに伴い、前記両覆い体間に皿上の飲食物の搬出口が開くようにしていることを特徴とする。
【０００６】
また請求項２に記載の発明は、請求項１に記載の自動搬送炙り装置において、搬送路の入口には、皿を前記搬送路に搬入するための搬入路と、この搬入路を介して搬入される皿の前記搬送路への搬入タイミングを制御するための搬入制御装置が備えられていることを特徴とする。
【発明の効果】
【０００７】
請求項１に記載の発明によれば、飲食物が置かれた皿を搬送機の搬送路上に載せて搬送するのであって、皿が炙り機の炙り領域に近づくと、皿上の飲食物が覆い体の切欠きで画成される空間内に搬入口から入り込んで炙り機で自動的に炙られる。この時、皿の上面周縁部は左右覆い体により覆われるので、マヨネーズ等の飛散物が皿の上面周縁部に付着するのを防止することが出来るし、皿が不用意に焼けるのも防止することが出来る。
また皿の上面中央に載せられる飲食物は、左右覆い体により覆われることなく炙り機によって確実に炙られる。
【０００８】
請求項２に記載の発明によれば、請求項１に記載の発明の効果に加え、搬入路に複数の皿を投入することで、投入される複数の皿が搬入制御装置により順次搬送路に送り込まれて、皿上の飲食物を効率的に連続して炙ることが出来る。
【図面の簡単な説明】
【０００９】
【図１】自動搬送炙り装置の概略正面図。
【図２】自動搬送炙り装置の概略平面図。
【図３】炙り機を省略して示す自動搬送炙り装置の概略平面図。
【図４】搬送機及び連動回転機構の配置を示す自動搬送炙り装置を平面から見た概略説明図。
【図５】自動搬送炙り装置の内部構造を示す自動搬送炙り装置を正面から見た概略説明図。
【図６】自動搬送炙り装置の内部構造を示す自動搬送炙り装置を側面から見た概略説明図。
【図７】自動搬送炙り装置の作動説明図。
【図８】自動搬送炙り装置の作動説明図。
【図９】自動搬送炙り装置の作動説明図。
【図１０】自動搬送炙り装置の第２実施形態を示す概略正面図。
【図１１】自動搬送炙り装置の第２実施形態を示す概略平面図。
【図１２】自動搬送炙り装置の第２実施形態を示す概略側面図。
【図１３】平面から見た駆動機構、連動回転機構、搬入制御装置の説明図。
【図１４】側面から見た駆動機構、連動回転機構、搬入制御装置の説明図。
【発明を実施するための形態】
【００１０】
図において符号１で示す自動搬送炙り装置は、皿１０の搬送機２と、搬送機２による搬送途中で皿Ｐ上の飲食物Ｆを炙るための炙り機３と、搬送機２で搬送される皿１０の上面周縁部を覆うための左右一対の覆い体４ａ・４ｂと、搬送機２の駆動と連動して覆い体４ａ・４ｂを回転させるための連動回転機構５とが備えられている。
搬送機２は、上面に皿１０の搬送路２０を備えたボックス状のハウジング２１と、このハウジング２１の搬送路２０に沿って周回移動する無端状の搬送チエン２２と、搬送チエン２２を駆動させるための駆動機構２３とが備えられている。
ハウジング２１の上面を構成する上板２１ａには、この上板２２の長さ方向一端から長さ方向他端に直線状に延びる凹溝２１ｂが形成され、この凹溝２１ｂが前述の搬送路２０を構成している。
【００１１】
凹溝２１ｂの幅は皿１０の高台１１の外径よりも少し大きく、また凹溝２１ｂの深さは高台１１の高さよりも少し浅くしている。
また凹溝２１ｂの底壁部２１ｃの幅方向中央には、凹溝２１ｂの長さ方向に延びるスリット状の長孔２１ｄが設けられている。
搬送チエン２２は、アウタープレートとインナプレートをピンで連結し、このピンにローラを回転自由に取り付けてなる所謂リンクチエン形式の構造のものであって、この搬送チエン２２を構成するアウタープレートには複数の突起２２ａが所定間隔開けて設けられている。
【００１２】
駆動機構２３は、図４にも示すように、駆動モータ２４と、この駆動モータ２４の駆動軸２３ａに設けられた駆動側スプロケット２５と、遊動側スプロケット２６が備えられ、駆動側スプロケット２５と遊動側スプロケット２６との間には、搬送チエン２２が架け渡されている。
そして搬送チエン２２は、長孔２１ｄに沿って配設され、搬送チエン２２の駆動に伴い、突起２２ａが長孔２１ｄから凹溝２１ｂ内に突出して長孔２１ｄに沿って移動するようにしている。
従って皿１０の高台１１が凹溝２１ｂの長さ方向一端部に置かれると、搬送チエン２２の駆動に伴って、凹溝２１ｂ内に突出してくる突起２２ａが高台１１の内周面に係合し、以降、皿１０が高台１１を介して突起２２ａとともに凹溝２１ｂに沿って移動、換言すれば、皿１０が凹溝２１ｂの長さ方向一端側から長さ方向他端側に向って移動することとなる。
【００１３】
炙り機３は、図５にも示すように、搬送機２における搬送路２０の上方に配置された直方体のボックス３１内に３本の赤外線ヒーター３２が並列状に取り付けられたものであって、赤外線ヒーター３２のヒーター部分３２ａは、ボックス３１の底板３１ａに開設した開口３１ｂを介して搬送路２０と対向するように配置されている。
覆い体４ａ・４ｂは、図３にも示すように、平面視円形の金属板に円弧状にカットされた3か所の切欠き４１を周方向１２０度毎に形成したものであって、これら覆い体４ａ・４ｂは、搬送機２と炙り機３との間において搬送機２の搬送路２０を挟んだ左右両側方に回転可能に設けられている。
またこれら左右の覆い体４ａ・４ｂは、搬送チエン２２の駆動により連動回転機構５を介して互いに逆方向に回転するよう、即ち、左の覆い体４ａは右の覆い体４ｂに対して逆方向に回転するように構成されている。
また覆い体４ａ・４ｂは、凹溝２１ｂに沿って移動する皿１１の上面よりも少し高い位置、詳しくは、前記皿１１の上面に載せられた寿司Ｆの高さ方向ほぼ中間位置で回転するように配置されている。
【００１４】
連動回転機構５は、図４にも示すように、駆動モータ２４の駆動軸２４ａに設けられた第２駆動側スプロケット５１と、駆動モータ２４の駆動軸２４ａに対して所定間隔開けて平行に配置された回転軸５２と、この回転軸５２に設けられた第２遊動側スプロケット５３と、前記した第２駆動側スプロケット５１と第２遊動側スプロケット５３との間に架け渡された駆動チエン５４と、回転軸５２の長さ方向両端部と各覆い体４ａ・４ｂの回転支持軸４２ａ・４２ｂとに組み付けた左右のスクリュウギヤ対５５ａ・５５ｂが備えられている。
【００１５】
左右のスクリュウギヤ対５５ａ・５５ｂは、左ねじれ組み合わせと右ねじれ組み合わせが用いられて、駆動モータ２４の駆動により、一方の覆い体４ａが他方の覆い体４ｂに対して逆方向に回転するようにしている。
即ち、図に示す実施形態では一方の覆い体４ａが上から見て右回転するのに対して他方の覆い体４ｂが上から見て左回転するようにしている。
そして連動回転機構５は、駆動モータ２４の駆動による両覆い体４ａ・４ｂの回転に伴い、図７（ｂ）に示すように、各突起２２ａが炙り機３の炙り領域に近づく段階で、回転する両覆い体４ａ・４ｂ間に搬入口ＥＮが開いて、搬送される皿１０上の飲食物Ｆが両覆い体４ａ・４ｂの切欠き４１で画成される空間Ｓ内に進入可能としている。
また各突起２２ａが炙り位置に来た段階では、図８（ｄ）に示すように、搬入口ＥＮが閉じて、両覆い体４ａ・４ｂにより皿１０の上面における飲食物Ｆの載置部分を除いた周縁部分が覆われ、更に各突起２２ａが炙り位置を通過した段階では、図９（ｅ）に示すように、両覆い体４ａ・４ｂ間に搬出口ＥＸが開いて、搬送される皿１０上の飲食物Ｆが前記の空間Ｓ内から両覆い体４ａ・４ｂの外に進出可能としている。
【００１６】
次に以上の構成からなる自動搬送炙り装置１の作用を説明する。
炙り機３及び搬送機２の電源をオンにして、寿司Ｆ（飲食物）が置かれた皿１０を搬送機２の搬送路２０上の長さ方向一端部に載せると、搬送チエン２２の駆動に伴い、突起２２ａが長孔２１ｄから凹溝２１ｂ内に突出して凹溝２１ｂ上の高台１１の内周面に係合し、以降、皿１１が高台１１を介して突起２２ａとともに凹溝２１ｂの長さ方向一端側から長さ方向他端側に向って移動する。
皿１０が炙り機３に近づいてくると、駆動モータ２４の駆動による両覆い体４ａ・４ｂの回転に伴い、図７（ｂ）及び図８（ｃ）に示すように、回転する両覆い体４ａ・４ｂ間に搬入口ＥＮが開くとともに、搬送されてきた皿１０上の寿司Ｆが、開いた搬入口ＥＮから両覆い体４ａ・４ｂの切欠き４１で画成される平面視略円形の空間Ｓ内に進入する。
【００１７】
そして皿１０上の寿司Ｆが炙り位置に来ると、図８（ｄ）に示すように、搬入口ＥＮが閉じて、皿１０の上面における寿司Ｆの載置部分を除いた周縁部分が両覆い体４ａ・４ｂにより覆われるとともに、皿１０上に置かれた寿司ＦのネタＮが前記した平面視略円形の空間Ｓ内で赤外線ヒーター３２により自動的に炙られる。
この時、ネタＮにかけたマヨネーズ等が熱で飛散しても、皿１０の上面周縁部は左右の覆い体４ａ・４ｂで覆われるので、マヨネーズ等の飛散物が皿１０の上面周縁部に付着するのを防止することが出来るし、寿司Ｆが載っていない皿１０の上面周縁部が炙り機３の熱で不用意に焼けるのも防止することが出来る。
続いて皿１０の搬送により皿１０上の寿司Ｆが炙り位置を通過する段階では、図９（ｅ）及び図９（ｆ）に示すように、両覆い体４ａ・４ｂ間に搬出口ＥＸが開いて、搬送される皿１０上の寿司Ｆが両覆い体４ａ・４ｂの外に出るので、ネタＮが炙られた寿司Ｆを皿１０ごと搬送路２０から取り出せばよい。
【００１８】
以上の自動搬送炙り装置１では、寿司Ｆなどの飲食物が盛られた皿１０を搬送機２の搬送路２０上に順次載せるだけの極めて簡単な作業で、皿１０上の飲食物を自動的且つ連続的に炙ることが出来、しかも皿１０が加熱により飛散するマヨネーズなどの飛散物で不用意に汚れるようなことはないし、皿１０が炙り機３の熱で不用意に焼けるのを防止することが出来る。
【００１９】
図１０〜図１４は、自動搬送炙り装置１００の第２実施形態を示したものであって、この自動搬送炙り装置１００は、前記した第1実施形態の自動搬送炙り装置１における搬送機２の搬送路２０入口に、皿１０を搬送路２０に搬入するための搬入路６０を備えた搬入体６と、この搬入路６０を介して搬入される皿１０の前記搬送路２０への搬入タイミングを制御するための搬入制御装置７を設け、また搬送路２０の出口には、搬送路２０上の皿１０を搬出するための搬出路８０を備えた搬出体８を設けたものである。
【００２０】
図１０〜図１２に示す搬入体６は、多数のローラ６１が回転自由に取り付けられたグラビティコンベヤ(Gravity Conveyor)から構成されている。
搬入体６は、搬入路６０を有するハウジング６２が備えられている。
搬入路６０は、図１１にも示すように平面視逆Ｊ字状にカーブするように形成され、この搬入路６０の上流が搬送機２の正面右手前に配置され、搬入路６０の下流が搬送機２の右側面に開口する前記搬送路２０の入口に接続されている。
また搬入路６０は、上流から下流に向って斜め下方に傾斜し、この搬入路６０に投入される皿１０がその自重により搬入路６０の上流側から搬送路２０に向って移動するように構成している。
【００２１】
搬出体８は、図１１にも示すように、搬出路８０を有するハウジング８１を備えたものであって、搬出路８０の下流側が搬送機２の正面左手前に配置され、上流が搬送機２の左側面に開口する搬送路２０の出口に接続されている。
この搬出路８０は、平面視略Ｊ字状にカーブするように形成されている。
またこの搬出路８０は、上流から下流に向かって斜め下方に傾斜して、搬送路２０から搬出路８０に搬出される皿１０がその自重により搬出路８０の下流側に向って自動的に滑り動くように構成されている。
【００２２】
搬入制御装置７は、搬入路６０の終端に配置された駆動ローラ７１と、搬送路２０の入口近くで回転する搬入規制体７２と、搬送機２の駆動機構２３と連動して駆動ローラ７１及び搬入規制体７２を回転させるための連動機構７４から構成されている。
駆動ローラ７１は、図１１にも示すように、搬入体６を構成する搬入路６０の出口に回転可能に取り付けられ、連動機構７４を介して回転する。
【００２３】
搬入規制体７２は、上から見て前記覆い体４ａ・４ｂとほぼ同様の形状であって、図１１にも示すように、円弧状に窪む３か所の凹部７３が周方向１２０度毎に形成されている。
この搬入規制体７２は、皿１０の周縁部における肉厚の3倍程度の厚さを備えており、凹部７３は、皿１０の外周縁が嵌る大きさ、即ち凹部７３の内縁が皿１０の外周縁とほぼ同一の曲率に形成されている。
この搬入規制体７２は、図１１にも示すように、搬送機２の搬送路２０近くに設けた回転軸７２ａの上端部に設けられ、後記の連動機構７４により回転駆動する。
【００２４】
連動機構７４は、遊動側スプロケット２６の支持軸２６ａと搬入規制体７２の回転軸７２ａとにスクリュウギヤ対７５が備えられ、支持軸２６ａの回転により、スクリュウギヤ対７５及び回転軸７２ａを介して搬入規制体７２ａが回転するようにしている。
スクリュウギヤ対７５は、駆動側スクリュウギヤ７５ａと従動側スクリュウギヤ７５ｂから構成され、駆動側スクリュウギヤ７５ａは遊動側スプロケット２６の支持軸２６ａに組み付けられ、従動側スクリュウギヤ７５ｂは回転軸７２ａに組み付けられている。
また連動機構７４は、１３図にも示すように、遊動側スプロケット２６の支持軸２６ａと駆動ローラ７１とにそれぞれ取り付けられたプーリー７６ａ・７６ｂと、これらプーリー７６ａ・７６ｂ間に架け渡された無端状のベルト７７が備えられ、搬送機２の搬送チエン２２の回転駆動に伴い、駆動ローラ７１が回転するように構成されている。
斯くして、皿１０が搬入路６０から搬送路２０に送り込まれる時点で、搬入制御装置７の制御により、前述の皿１０が一定間隔で搬送路２０に順次搬入される。
【００２５】
次に第２実施形態に示す自動搬送炙り装置１００の作用を説明する。
先ず、炙り機３及び搬送機２の電源をオンにした上で握り寿司Ｆが置かれた皿１０を搬入体６の搬入路６０に順次投入する。
投入された皿１０は、ローラ６１の回転により搬送路２０に向けて搬送されるのであって、搬送路２０の入口まで来ると、連動機構７３を介して回転駆動している駆動ローラ７１により搬送路２０の入口に積極的に送り込まれた後、回転する搬入規制体７２で受け止められて、皿１０の外周縁の一部が搬入規制体７２の凹部７３に嵌り込む。
そして凹部７３に嵌り込んだ皿１０は、搬入規制体７２の回転に伴う凹部７３の案内により搬送機２の搬送路２０上に載ると、搬送チエン２２の駆動に伴い、突起２２ａが長孔２１ｄから凹溝２１ｂ内に突出して凹溝２１ｂ上の高台１１の内周面に係合し、以降、皿１１が高台１１を介して突起２２ａとともに凹溝２１ｂの長さ方向一端側から長さ方向他端側に向って移動する。
この時、凹部７３に嵌り込んだ皿１０とは別に次の皿１０が搬送路２０の入口に送り込まれてきても、この皿１０は次の凹部７３に嵌り込むまで搬入規制体７２で受け止められて搬送路７２への送り込みが規制されるので、皿１０が搬送路７２に送り込まれすぎて搬送路７２上で詰まるような不具合は解消される。
【００２６】
一方、搬送路２０に送り込まれた皿１０が炙り機３に近づいてくると、駆動モータ２４の駆動による両覆い体４ａ・４ｂの回転に伴い、搬送されてきた皿１０上の寿司Ｆが、回転する両覆い体４ａ・４ｂ間に開いた搬入口ＥＮから両覆い体４ａ・４ｂの切欠き４１で画成される平面視略円形の空間Ｓ内に進入する。(図７（ｂ）及び図８（ｃ）参照)  
そして皿１０上の中央に置かれた寿司Ｆが炙り位置に来ると、搬入口ＥＮが閉じて、両覆い体４ａ・４ｂにより皿１０の上面における寿司Ｆの載置部分を除いた周縁部分が覆われる(図８（ｄ）参照)とともに、皿１０上に置かれた握り寿司ＦのネタＮが、前記した平面視略円形の空間Ｓ内で赤外線ヒーター３２により自動的に炙られる。
この時、皿１０の上面周縁部は左右の覆い体４ａ・４ｂで覆われるので、ネタＮにかけたマヨネーズ等の飛散物が皿１０の上面周縁部に付着するのを防止することが出来るし、寿司Ｆが載っていない皿１０の上面周縁部が炙り機３の熱で不用意に焼けるのを防止することも出来る。
【００２７】
続いて皿１０の搬送に伴い、皿１０上の寿司Ｆが炙り位置を通過する段階では、両覆い体４ａ・４ｂ間に搬出口ＥＸが開いて、搬送される皿１０上の寿司Ｆが両覆い体４ａ・４ｂの外に出る。(  図９（ｅ）及び図９（ｆ）参照)  
そして皿１０が搬送路２０の終端から搬出体８の搬出路８０に押し出されると、皿１０は斜め下方に傾斜する搬出路８０上を滑って搬出路８０の下流側に自動的に搬出される。
従って皿１０が搬送路２０上に不用意に滞留するような不具合はない。
【００２８】
以上の実施形態では炙り機３の加熱源として赤外線ヒーター３２を用いたが、これに限定されるものではなく、例えば電熱ヒーターやガスヒーターを用いたものでもよい。
また以上の実施形態では、皿１０上の飲食物として握り寿司Ｆを例にして説明したが、これに限定されるものではなく、例えばプリン等のスイーツ類でもよい。
【符号の説明】
【００２９】
１・１００  自動搬送炙り装置
１０    皿
１１    高台
２      搬送機
２０    搬送路
２２    搬送チエン
２２ａ   突起
２４    駆動モータ
３      炙り機
３２    赤外線ヒーター
４ａ    覆い体
４ｂ    覆い体
４１    切欠き
５      連動回転機構
６      搬入体
６０     搬入路
7           搬入制御装置
71     駆動ローラ
７２     搬入規制体
Ｆ      寿司（飲食物）
Ｎ      ネタ
【図１】
2018089350.tif 000003
【図２】
2018089350.tif 000004
【図３】
2018089350.tif 000005
【図４】
2018089350.tif 000006
【図５】
2018089350.tif 000007
【図６】
2018089350.tif 000008
【図７】
2018089350.tif 000009
【図８】
2018089350.tif 000010
【図９】
2018089350.tif 000011
【図１０】
2018089350.tif 000012
【図１１】
2018089350.tif 000013
【図１２】
2018089350.tif 000014
【図１３】
2018089350.tif 000015
【図１４】
2018089350.tif 000016